(57)【要約】【課題】人物や風景などの自然画像、パッチ配置を変更出来ないチャート画像などの原稿に対しても、原稿の色を適切に変換する。【解決手段】各々のスキャナプロファイルの作成に使用したチャートの所定のパッチを含む周辺パッチの第１ＲＧＢ平均値を算出し、所定のパッチのＲＧＢ値と第１ＲＧＢ平均値とに基づいて第１フレア影響度を算出し、算出した第１フレア影響度をスキャナプロファイルに対応付けて登録する。そして、原稿の各対象色の所定の位置のＲＧＢ値と当該所定の位置を含む周辺領域の第２ＲＧＢ平均値とに基づいて第２フレア影響度を算出し、第２フレア影響度との差が予め定めた閾値以下の第１フレア影響度を特定し、特定した第１フレア影響度に対応するスキャナプロファイルを選択し、選択したスキャナプロファイルを使用して、原稿の各対象色のＲＧＢ値をＬ*ａ*ｂ*値などに変換する。【選択図】図１０
2019110364.tif 000002
【特許請求の範囲】
【請求項１】
チャートの各パッチのＲＧＢ値を取得するＲＧＢ値取得部と、
前記チャートの各パッチの測色値を取得する測色値取得部と、
前記ＲＧＢ値と前記測色値とを対応付けるスキャナプロファイルを作成するプロファイル作成部と、
各々のスキャナプロファイルの作成に使用したチャートの所定のパッチを含む周辺パッチのＲＧＢ値の平均である第１ＲＧＢ平均値を算出し、前記所定のパッチのＲＧＢ値と前記第１ＲＧＢ平均値とに基づいて前記所定のパッチにおけるフレアの影響を表す第１フレア影響度を算出し、前記第１フレア影響度を前記スキャナプロファイルに対応付けて登録する対応付け部と、
スキャナプロファイルを選択するプロファイル選択部と、
選択したスキャナプロファイルを用いて、原稿のＲＧＢ値を測色値に変換する色変換部と、を備え、
前記ＲＧＢ値取得部は、前記原稿の各対象色の所定の位置のＲＧＢ値を取得し、
前記プロファイル選択部は、前記所定の位置を含む周辺領域のＲＧＢ値の平均である第２ＲＧＢ平均値を算出し、前記所定の位置のＲＧＢ値と前記第２ＲＧＢ平均値とに基づいて前記所定の位置におけるフレアの影響を表す第２フレア影響度を算出し、複数のスキャナプロファイルに対応付けられた複数の前記第１フレア影響度の中から、前記第２フレア影響度との差が予め定めた閾値以下の前記第１フレア影響度を特定し、特定した前記第１フレア影響度に対応するスキャナプロファイルを、前記原稿の各対象色の色変換に使用するスキャナプロファイルとして選択する、
ことを特徴とする色変換装置。
【請求項２】
前記チャートは、当該チャート内で前記第１フレア影響度が一定の値となるようにパッチが並び替えられたチャートである、
ことを特徴とする請求項１に記載の色変換装置。
【請求項３】
前記プロファイル選択部は、前記第２フレア影響度との差が最小となる前記第１フレア影響度を特定する、
ことを特徴とする請求項１又は２に記載の色変換装置。
【請求項４】
前記プロファイル選択部は、前記第２フレア影響度との差が前記閾値以下となる前記第１フレア影響度がない場合は、前記第１フレア影響度が異なる複数のスキャナプロファイルに対して補間計算を行って新たなスキャナプロファイルを作成し、作成した前記スキャナプロファイルを、前記原稿の各対象色の色変換に使用するスキャナプロファイルとして選択する、
ことを特徴とする請求項１又は２に記載の色変換装置。
【請求項５】
前記プロファイル作成部は、各色のパッチの配置及び／又はサイズが異なる複数のチャートを用いて、前記第１フレア影響度が異なる複数のスキャナプロファイルを作成する、
ことを特徴とする請求項１乃至４のいずれか一に記載の色変換装置。
【請求項６】
前記プロファイル作成部は、同一のチャートに対して、各パッチにおけるＲＧＢ値の取得位置及び／又は取得範囲が異なるＲＧＢ値を取得し、各々の取得位置及び／又は取得範囲のＲＧＢ値と前記測色値とを対応付けて、前記第１フレア影響度が異なる複数のスキャナプロファイルを作成する、
ことを特徴とする請求項１乃至４のいずれか一に記載の色変換装置。
【請求項７】
前記対応付け部は、前記所定のパッチを中心とした３×３のパッチを前記周辺パッチとする、
ことを特徴とする請求項１乃至６のいずれか一に記載の色変換装置。
【請求項８】
原稿の各対象色のＲＧＢ値を測色値に変換するシステムにおける色変換方法であって、
チャートの各パッチのＲＧＢ値を取得する第１取得処理と、
前記チャートの各パッチの測色値を取得する第２取得処理と、
前記ＲＧＢ値と前記測色値とを対応付けるスキャナプロファイルを作成するプロファイル作成処理と、
各々のスキャナプロファイルの作成に使用したチャートの所定のパッチを含む周辺パッチのＲＧＢ値の平均である第１ＲＧＢ平均値を算出し、前記所定のパッチのＲＧＢ値と前記第１ＲＧＢ平均値とに基づいて前記所定のパッチにおけるフレアの影響を表す第１フレア影響度を算出し、前記第１フレア影響度を前記スキャナプロファイルに対応付けて登録する対応付け処理と、
前記原稿の各対象色の所定の位置のＲＧＢ値を取得する第３取得処理と、
前記所定の位置を含む周辺領域のＲＧＢ値の平均である第２ＲＧＢ平均値を算出し、前記所定の位置のＲＧＢ値と前記第２ＲＧＢ平均値とに基づいて前記所定の位置におけるフレアの影響を表す第２フレア影響度を算出し、複数のスキャナプロファイルに対応付けられた複数の前記第１フレア影響度の中から、前記第２フレア影響度との差が予め定めた閾値以下の前記第１フレア影響度を特定し、特定した前記第１フレア影響度に対応するスキャナプロファイルを、前記原稿の各対象色の色変換に使用するスキャナプロファイルとして選択するプロファイル選択処理と、
選択した前記スキャナプロファイルを用いて、前記原稿のＲＧＢ値を測色値に変換する色変換処理と、を実行する、
ことを特徴とする色変換方法。
【請求項９】
前記チャートは、当該チャート内で前記第１フレア影響度が一定の値となるようにパッチが並び替えられたチャートである、
ことを特徴とする請求項８に記載の色変換方法。
【請求項１０】
前記プロファイル選択処理では、前記第２フレア影響度との差が最小となる前記第１フレア影響度を特定する、
ことを特徴とする請求項８又は９に記載の色変換方法。
【請求項１１】
前記プロファイル選択処理では、前記第２フレア影響度との差が前記閾値以下となる前記第１フレア影響度がない場合は、前記第１フレア影響度が異なる複数のスキャナプロファイルに対して補間計算を行って新たなスキャナプロファイルを作成し、作成した前記スキャナプロファイルを、前記原稿の各対象色の色変換に使用するスキャナプロファイルとして選択する、
ことを特徴とする請求項８又は９に記載の色変換方法。
【請求項１２】
前記プロファイル作成処理では、各色のパッチの配置及び／又はサイズが異なる複数のチャートを用いて、前記第１フレア影響度が異なる複数のスキャナプロファイルを作成する、
ことを特徴とする請求項８乃至１１のいずれか一に記載の色変換方法。
【請求項１３】
前記プロファイル作成処理では、同一のチャートに対して、各パッチにおけるＲＧＢ値の取得位置及び／又は取得範囲が異なるＲＧＢ値を取得し、各々の取得位置及び／又は取得範囲のＲＧＢ値と前記測色値とを対応付けて、前記第１フレア影響度が異なる複数のスキャナプロファイルを作成する、
ことを特徴とする請求項８乃至１１のいずれか一に記載の色変換方法。
【請求項１４】
前記対応付け処理では、前記所定のパッチを中心とした３×３のパッチを前記周辺パッチとする、
ことを特徴とする請求項８乃至１３のいずれか一に記載の色変換方法。
【請求項１５】
原稿の各対象色のＲＧＢ値を測色値に変換するシステム内の装置で操作する色変換プログラムであって、
前記装置に、
チャートの各パッチのＲＧＢ値を取得する第１取得処理、
前記チャートの各パッチの測色値を取得する第２取得処理、
前記ＲＧＢ値と前記測色値とを対応付けるスキャナプロファイルを作成するプロファイル作成処理、
各々のスキャナプロファイルの作成に使用したチャートの所定のパッチを含む周辺パッチのＲＧＢ値の平均である第１ＲＧＢ平均値を算出し、前記所定のパッチのＲＧＢ値と前記第１ＲＧＢ平均値とに基づいて前記所定のパッチにおけるフレアの影響を表す第１フレア影響度を算出し、前記第１フレア影響度を前記スキャナプロファイルに対応付けて登録する対応付け処理、
前記原稿の各対象色の所定の位置のＲＧＢ値を取得する第３取得処理、
前記所定の位置を含む周辺領域のＲＧＢ値の平均である第２ＲＧＢ平均値を算出し、前記所定の位置のＲＧＢ値と前記第２ＲＧＢ平均値とに基づいて前記所定の位置におけるフレアの影響を表す第２フレア影響度を算出し、複数のスキャナプロファイルに対応付けられた複数の前記第１フレア影響度の中から、前記第２フレア影響度との差が予め定めた閾値以下の前記第１フレア影響度を特定し、特定した前記第１フレア影響度に対応するスキャナプロファイルを、前記原稿の各対象色の色変換に使用するスキャナプロファイルとして選択するプロファイル選択処理、
選択した前記スキャナプロファイルを用いて、前記原稿のＲＧＢ値を測色値に変換する色変換処理、を実行させる、
ことを特徴とする色変換プログラム。
【請求項１６】
前記チャートは、当該チャート内で前記第１フレア影響度が一定の値となるようにパッチが並び替えられたチャートである、
ことを特徴とする請求項１５に記載の色変換プログラム。
【請求項１７】
前記プロファイル選択処理では、前記第２フレア影響度との差が最小となる前記第１フレア影響度を特定する、
ことを特徴とする請求項１５又は１６に記載の色変換プログラム。
【請求項１８】
前記プロファイル選択処理では、前記第２フレア影響度との差が前記閾値以下となる前記第１フレア影響度がない場合は、前記第１フレア影響度が異なる複数のスキャナプロファイルに対して補間計算を行って新たなスキャナプロファイルを作成し、作成した前記スキャナプロファイルを、前記原稿の各対象色の色変換に使用するスキャナプロファイルとして選択する、
ことを特徴とする請求項１５又は１６に記載の色変換プログラム。
【請求項１９】
前記プロファイル作成処理では、各色のパッチの配置及び／又はサイズが異なる複数のチャートを用いて、前記第１フレア影響度が異なる複数のスキャナプロファイルを作成する、
ことを特徴とする請求項１５乃至１８のいずれか一に記載の色変換プログラム。
【請求項２０】
前記プロファイル作成処理では、同一のチャートに対して、各パッチにおけるＲＧＢ値の取得位置及び／又は取得範囲が異なるＲＧＢ値を取得し、各々の取得位置及び／又は取得範囲のＲＧＢ値と前記測色値とを対応付けて、前記第１フレア影響度が異なる複数のスキャナプロファイルを作成する、
ことを特徴とする請求項１５乃至１８のいずれか一に記載の色変換プログラム。
【請求項２１】
前記対応付け処理では、前記所定のパッチを中心とした３×３のパッチを前記周辺パッチとする、
ことを特徴とする請求項１５乃至２０のいずれか一に記載の色変換プログラム。
【発明の詳細な説明】
【技術分野】
【０００１】
本発明は、色変換装置、色変換方法及び色変換プログラムに関し、特に、フレアの影響を考慮して色変換を行う色変換装置、当該色変換装置を含むシステムにおける色変換方法及び当該色変換装置を含むシステム内の装置で動作する色変換プログラムに関する。
【背景技術】
【０００２】
スキャナやプリンタなどのデバイスでは、当該デバイスが出力するデバイス値（ＲＧＢ値やＣＭＹＫ値）はデバイスに依存した値になることから、このデバイス値をデバイスに依存しない色に変換するための色変換テーブル（デバイスプロファイル）を作成し、デバイスプロファイルを用いて色変換が行われる。このデバイスプロファイルを作成する方法として、例えば、スキャナプロファイルを作成する場合は、プリンタで出力した色票（プリンタの色域全体の情報が取得できるようにパッチを配置したカラーチャート）をスキャナと測色器とで測定し、スキャナで測定して得たＲＧＢ値と測色器で測定して得たCIE 1976色空間のＬ*ａ*ｂ*値やCIE 1931色空間のＸＹＺ値などの測色値とを対応付けることによってスキャナプロファイルを作成することができ、このスキャナプロファイルを用いて、原稿をスキャナで読み取った色を他の色空間の色に変換することができる。
【０００３】
ここで、カラーチャートや原稿をスキャナで読み取る際、カラーチャート内の各パッチや原稿内の各領域からの反射光のみを検出する必要があるが、実際には、各パッチや各領域からの反射光に加えて、乱反射により周辺からの反射光も混ざった色情報が取得されてしまう。この現象はフレアと呼ばれるが、フレアの影響がカラーチャートと原稿とで異なると、スキャナプロファイルを用いて原稿のＲＧＢを測色値に変換する際の精度が劣化してしまう。
【０００４】
この問題に対して、フレアの影響を均等化する方法が提案されており、例えば、下記特許文献１には、印刷部及び測色部を備える画像形成装置と、前記画像形成装置を制御する制御装置と、を含むシステムにおけるチャート作成方法であって、前記制御装置が、複数のパッチを配置したチャートの印刷画像を生成して、前記画像形成装置に前記チャートの印刷及び測色を指示し、前記画像形成装置が、前記チャートを印刷し、前記チャートの各パッチを測色する第１のチャート作成処理と、前記制御装置が、前記画像形成装置から前記チャートの各パッチの測色値を取得し、測色対象のパッチと当該パッチの周辺のパッチとからなる小パッチ群における各パッチの測色値を平均した平均測色値の、前記チャート内のバラツキが所定の範囲に収まるように、パッチを再配置する再配置処理と、前記制御装置が、パッチを再配置したチャートの印刷画像を生成し、前記画像形成装置に前記チャートの印刷及び測色を指示し、前記画像形成装置が、前記パッチを再配置したチャートを印刷し、前記チャートの各パッチを測色する第２のチャート作成処理と、を実行する構成が開示されている。
【先行技術文献】
【特許文献】
【０００５】
【特許文献１】特開２０１６−１５９５４０号公報
【発明の概要】
【発明が解決しようとする課題】
【０００６】
上記特許文献１のパッチ配置方法を用い、パッチ周囲のＲＧＢ値が均等化されるようにパッチを並び替えることによって、どのパッチを測定した場合でも、そのパッチの周りからの乱反射の影響を一定にすることができる。しかしながら、原稿として、人物や風景などの自然画像、パッチ配置を変更出来ないチャート画像などを利用する場合は、上記のパッチ配置方法を利用することができない。
【０００７】
その結果、上記のパッチ配置方法を用いてパッチを並び替えたチャートに基づいて作成したスキャナプロファイルを利用したとしても、上記チャートと原稿とでフレアの影響が異なってしまい、ＲＧＢ値からＬ*ａ*ｂ*値への変換精度が劣化してしまう場合が生じる。
【０００８】
本発明は、上記問題点に鑑みてなされたものであって、その主たる目的は、人物や風景などの自然画像、パッチ配置を変更出来ないチャート画像などの原稿に対しても、原稿の色を適切に変換することができる色変換装置、色変換方法及び色変換プログラムを提供することにある。
【課題を解決するための手段】
【０００９】
本発明の一側面は、チャートの各パッチのＲＧＢ値を取得するＲＧＢ値取得部と、前記チャートの各パッチの測色値を取得する測色値取得部と、前記ＲＧＢ値と前記測色値とを対応付けるスキャナプロファイルを作成するプロファイル作成部と、各々のスキャナプロファイルの作成に使用したチャートの所定のパッチを含む周辺パッチのＲＧＢ値の平均である第１ＲＧＢ平均値を算出し、前記所定のパッチのＲＧＢ値と前記第１ＲＧＢ平均値とに基づいて前記所定のパッチにおけるフレアの影響を表す第１フレア影響度を算出し、前記第１フレア影響度を前記スキャナプロファイルに対応付けて登録する対応付け部と、スキャナプロファイルを選択するプロファイル選択部と、選択したスキャナプロファイルを用いて、原稿のＲＧＢ値を測色値に変換する色変換部と、を備え、前記ＲＧＢ値取得部は、前記原稿の各対象色の所定の位置のＲＧＢ値を取得し、前記プロファイル選択部は、前記所定の位置を含む周辺領域のＲＧＢ値の平均である第２ＲＧＢ平均値を算出し、前記所定の位置のＲＧＢ値と前記第２ＲＧＢ平均値とに基づいて前記所定の位置におけるフレアの影響を表す第２フレア影響度を算出し、複数のスキャナプロファイルに対応付けられた複数の前記第１フレア影響度の中から、前記第２フレア影響度との差が予め定めた閾値以下の前記第１フレア影響度を特定し、特定した前記第１フレア影響度に対応するスキャナプロファイルを、前記原稿の各対象色の色変換に使用するスキャナプロファイルとして選択することを特徴とする。
【００１０】
本発明の一側面は、原稿の各対象色のＲＧＢ値を測色値に変換するシステムにおける色変換方法であって、チャートの各パッチのＲＧＢ値を取得する第１取得処理と、前記チャートの各パッチの測色値を取得する第２取得処理と、前記ＲＧＢ値と前記測色値とを対応付けるスキャナプロファイルを作成するプロファイル作成処理と、各々のスキャナプロファイルの作成に使用したチャートの所定のパッチを含む周辺パッチのＲＧＢ値の平均である第１ＲＧＢ平均値を算出し、前記所定のパッチのＲＧＢ値と前記第１ＲＧＢ平均値とに基づいて前記所定のパッチにおけるフレアの影響を表す第１フレア影響度を算出し、前記第１フレア影響度を前記スキャナプロファイルに対応付けて登録する対応付け処理と、前記原稿の各対象色の所定の位置のＲＧＢ値を取得する第３取得処理と、前記所定の位置を含む周辺領域のＲＧＢ値の平均である第２ＲＧＢ平均値を算出し、前記所定の位置のＲＧＢ値と前記第２ＲＧＢ平均値とに基づいて前記所定の位置におけるフレアの影響を表す第２フレア影響度を算出し、複数のスキャナプロファイルに対応付けられた複数の前記第１フレア影響度の中から、前記第２フレア影響度との差が予め定めた閾値以下の前記第１フレア影響度を特定し、特定した前記第１フレア影響度に対応するスキャナプロファイルを、前記原稿の各対象色の色変換に使用するスキャナプロファイルとして選択するプロファイル選択処理と、選択した前記スキャナプロファイルを用いて、前記原稿のＲＧＢ値を測色値に変換する色変換処理と、を実行することを特徴とする。
【００１１】
本発明の一側面は、原稿の各対象色のＲＧＢ値を測色値に変換するシステム内の装置で操作する色変換プログラムであって、前記装置に、チャートの各パッチのＲＧＢ値を取得する第１取得処理、前記チャートの各パッチの測色値を取得する第２取得処理、前記ＲＧＢ値と前記測色値とを対応付けるスキャナプロファイルを作成するプロファイル作成処理、各々のスキャナプロファイルの作成に使用したチャートの所定のパッチを含む周辺パッチのＲＧＢ値の平均である第１ＲＧＢ平均値を算出し、前記所定のパッチのＲＧＢ値と前記第１ＲＧＢ平均値とに基づいて前記所定のパッチにおけるフレアの影響を表す第１フレア影響度を算出し、前記第１フレア影響度を前記スキャナプロファイルに対応付けて登録する対応付け処理、前記原稿の各対象色の所定の位置のＲＧＢ値を取得する第３取得処理、前記所定の位置を含む周辺領域のＲＧＢ値の平均である第２ＲＧＢ平均値を算出し、前記所定の位置のＲＧＢ値と前記第２ＲＧＢ平均値とに基づいて前記所定の位置におけるフレアの影響を表す第２フレア影響度を算出し、複数のスキャナプロファイルに対応付けられた複数の前記第１フレア影響度の中から、前記第２フレア影響度との差が予め定めた閾値以下の前記第１フレア影響度を特定し、特定した前記第１フレア影響度に対応するスキャナプロファイルを、前記原稿の各対象色の色変換に使用するスキャナプロファイルとして選択するプロファイル選択処理、選択した前記スキャナプロファイルを用いて、前記原稿のＲＧＢ値を測色値に変換する色変換処理、を実行させることを特徴とする。
【発明の効果】
【００１２】
本発明の色変換装置、色変換方法及び色変換プログラムによれば、人物や風景などの自然画像、パッチ配置を変更出来ないチャート画像などの原稿に対しても、原稿の色を適切に変換することができる。
【００１３】
その理由は、各々のスキャナプロファイルの作成に使用したチャートの所定のパッチを含む周辺パッチの第１ＲＧＢ平均値を算出し、所定のパッチのＲＧＢ値と第１ＲＧＢ平均値とに基づいて第１フレア影響度を算出し、算出した第１フレア影響度をスキャナプロファイルに対応付けて登録する。そして、原稿の各対象色の所定の位置のＲＧＢ値と当該所定の位置を含む周辺領域の第２ＲＧＢ平均値とに基づいて第２フレア影響度を算出し、複数のプロファイルに対応付けられた複数の第１フレア影響度の中から、第２フレア影響度との差が予め定めた閾値以下の第１フレア影響度を特定し、特定した第１フレア影響度に対応するスキャナプロファイルを選択し、選択したスキャナプロファイルを使用して、原稿の各対象色のＲＧＢ値をＬ*ａ*ｂ*値などに変換するからである。
【図面の簡単な説明】
【００１４】
【図１】本発明の一実施例に係る印刷システムの一例を示す模式図である。
【図２】本発明の一実施例に係る印刷システムの他の例を示す模式図である。
【図３】本発明の一実施例に係る印刷システムの他の例を示す模式図である。
【図４】本発明の一実施例に係る色変換装置の構成を示すブロック図である。
【図５】本発明の一実施例に係るプリンタ（スキャナ及び測色器を含む場合）の構成例を示す模式図である。
【図６】本発明の一実施例に係るプリンタ（色変換装置、スキャナ及び測色器を含む場合）の構成を示すブロック図である。
【図７】本発明の一実施例に係る色変換装置の動作（スキャナプロファイル作成処理）を示すフローチャート図である。
【図８】本発明の一実施例に係る色変換装置の動作（色変換処理）を示すフローチャート図である。
【図９】本発明の一実施例に係る色変換装置の動作（プロファイル選択処理）を示すフローチャート図である。
【図１０】本発明の一実施例に係る色変換方法を説明する模式図である。
【図１１】本発明の一実施例に係る色変換方法における補間計算を説明する模式図である。
【図１２】フレアの影響を説明する模式図である。
【図１３】特許文献１のスキャナプロファイルを利用する場合の問題を説明する模式図である。
【発明を実施するための形態】
【００１５】
背景技術で示したように、原稿をスキャナで読み取った色（例えば、ＲＧＢ値）を他の色空間の色（例えば、CIE 1976色空間のＬ*ａ*ｂ*値やCIE 1931色空間のＸＹＺ値）に変換する場合、予めカラーチャートの各パッチをスキャナと測色器とで測定して作成したスキャナプロファイルが利用されるが、カラーチャートや原稿をスキャナで読み取る際、カラーチャート内の各パッチや原稿内の各領域からの反射光に加えて、周辺からの反射光も混ざった色情報が取得されてしまう。
【００１６】
このように、スキャナを使ってＲＧＢ値を取得する際、取得対象部の周囲からの乱反射により、本来取得されるべきＲＧＢ値とは異なるＲＧＢ値が取得されてしまう現象はフレアと呼ばれる。このフレアの影響は、スキャナプロファイルを作成する時、及び、印刷した画像をスキャナで読み取る時に生じるが、チャートや画像毎に周囲の絵が違うため、フレアの影響も変化する。例えば、図１２に示すように、同じ色（Ｌ*ａ*ｂ*値）のパッチを測定したとしても、チャートＡとチャートＢとで乱反射されるＲＧＢ値（フレアＲＧＢ値）が異なってしまい、取得されるＲＧＢ値（フレアＲＧＢ値＋フレア無しＲＧＢ値）が変化する。
【００１７】
このフレアの影響を低減する方法として、特許文献１では、図１３（ａ）に示すように、パッチ周囲のＲＧＢ値が均等化されるようにパッチを並び替えることによって、どのパッチを測定した場合でも、そのパッチの周りからの乱反射の影響が一定になるようにしているが、図１３（ｂ）に示すように、人物や風景などの自然画像、パッチ配置を変更出来ないチャート画像などの原稿では、特許文献１のパッチ配置方法は適用することができない。その結果、特許文献１のパッチ配置方法を用いてパッチを並び替えたチャートに基づいて作成したスキャナプロファイルを利用したとしても、上記チャートと原稿とでフレアの影響が異なってしまい、ＲＧＢ値からＬ*ａ*ｂ*値への変換精度が劣化してしまう場合が生じる。その場合、画像内部の出力色や印刷位置を調整することもできるが、その際には、ユーザが指定又は選択した任意のＣＭＹＫ値におけるＬ*ａ*ｂ*値を取得する必要があり、測色器を用いた測定の手間が生じる。
【００１８】
そこで、本発明の一実施の形態では、フレア影響度が異なるという条件で作成した複数のスキャナプロファイルを事前に準備する。その上で対象色のフレア影響度に応じたスキャナプロファイルを選択することで、高精度にＲＧＢ値からＬ*ａ*ｂ*値などへの変換を行う。具体的には、各々のスキャナプロファイルの作成に使用したチャートの所定のパッチを含む周辺パッチの第１ＲＧＢ平均値を算出し、所定のパッチのＲＧＢ値と第１ＲＧＢ平均値とに基づいて第１フレア影響度を算出し、算出した第１フレア影響度をスキャナプロファイルに対応付けて登録する。そして、原稿の各対象色の所定の位置のＲＧＢ値を取得すると共に当該所定の位置を含む周辺領域の第２ＲＧＢ平均値を算出し、所定の位置のＲＧＢ値と第２ＲＧＢ平均値とに基づいて第２フレア影響度を算出し、複数のプロファイルに対応付けられた複数の第１フレア影響度の中から、第２フレア影響度との差が予め定めた閾値以下の第１フレア影響度を特定し、特定した第１フレア影響度に対応するスキャナプロファイルを選択し、選択したスキャナプロファイルを使用して、原稿の各対象色のＲＧＢ値をＬ*ａ*ｂ*値などに変換する。
【００１９】
このように、原稿の対象色と同様にフレアの影響を受けるスキャナプロファイルを選択することにより、自然画像やパッチ配置を変更できないチャートなどの原稿に対しても、スキャナプロファイルを用いた色変換の精度を向上させることができる。
【実施例】
【００２０】
上記した本発明の一実施の形態についてさらに詳細に説明すべく、本発明の一実施例に係る色変換装置、色変換方法及び色変換プログラムについて、図１乃至図１１を参照して説明する。図１乃至図３は、本実施例の印刷システムの構成例を示す模式図であり、図４は、本実施例の色変換装置の構成を示すブロック図である。また、図５は、本実施例のプリンタ（スキャナ及び測色器を含む場合）の構成例を示す模式図であり、図６は、プリンタ（色変換装置、スキャナ及び測色器を含む場合）の構成を示すブロック図である。また、図７乃至図９は、本実施例の色変換装置の動作を示すフローチャート図であり、図１０及び図１１は、本実施例の色変換方法を説明する模式図である。
【００２１】
なお、以下の説明において、スキャナプロファイルによる変換前の色をＲＧＢ値、変換後の色をＬ*ａ*ｂ*値とする。
【００２２】
図１に示すように、本実施例の印刷システム１０は、出力指示端末２０と、色変換装置３０と、プリンタ４０と、スキャナ５０と、測色器６０などで構成される。これらはイーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク７０を介して接続されている。なお、色変換装置３０とプリンタ４０、スキャナ５０、測色器６０とはＰＣＩ（Peripheral Component Interconnect）接続など、専用線で接続されていてもよい。
【００２３】
出力指示端末２０は、クライアントのコンピュータ装置であり、プリンタドライバや専用のソフトウェアを用いてジョブを発行する。
【００２４】
色変換装置３０は、プリンタ４０から出力されたカラーチャートを用いてスキャナプロファイルや必要に応じてプリンタプロファイルを作成する。また、色変換装置３０は、出力指示端末２０から発行されたジョブに基づいてプリンタ４０から出力された原稿をスキャンして得たＲＧＢ値に対して、色変換（ＲＧＢ値からＬ*ａ*ｂ*値への色変換、必要に応じてＬ*ａ*ｂ*値からＣＭＹＫ値への色変換）を行い、色変換後の画像データをプリンタ４０に転送する。上記ＲＧＢ値からＬ*ａ*ｂ*値への色変換は予め作成したスキャナプロファイルを用いて行うが、本実施例では、フレアの影響度が異なる複数のスキャナプロファイルを用意しておき、原稿の各対象色と同等のフレア影響度を持つスキャナプロファイルを選択し、選択したスキャナプロファイルを用いて色変換を行う。この色変換装置３０の詳細な構成は後述する。
【００２５】
プリンタ４０は、色変換装置３０から画像データを受け取り、画像データに基づく画像を用紙上に形成して出力する。このプリンタ４０の詳細な構成も後述する。
【００２６】
スキャナ５０は、例えば、ＲＧＢの３種類のセンサで構成され、プリンタ４０から出力されたカラーチャートや原稿をスキャンし、ＲＧＢ値を出力する。
【００２７】
測色器６０は、光の波長ごとに計測可能なスペクトル方式（分光光度計）の測色器であり、プリンタ４０から出力されたカラーチャートを測色し、測色値（Ｌ*ａ*ｂ*値、ＸＹＺ値など）を出力する。
【００２８】
なお、図１は本実施例の印刷システムの一例であり、その構成は適宜変更可能である。例えば、図２に示すように、スキャナ５０や測色器６０がプリンタ４０に内蔵される構成としてもよいし、図３に示すように、更に色変換装置３０がプリンタ４０に内蔵される構成としてもよい。以下、色変換装置３０とプリンタ４０について詳細に説明する。
【００２９】
［色変換装置］
色変換装置３０は、図４（ａ）に示すように、制御部３１、記憶部３５、ネットワークＩ／Ｆ部３６、表示部３７、操作部３８などで構成される。
【００３０】
制御部３１は、ＣＰＵ（Central Processing Unit）３２とＲＯＭ（Read Only Memory）３３やＲＡＭ（Random Access Memory）３４などのメモリとで構成され、ＣＰＵ３２は、ＲＯＭ３３や記憶部３５に記憶した制御プログラムをＲＡＭ３４に展開して実行することにより、色変換装置３０全体の動作を制御する。
【００３１】
上記制御部３１は、図４（ｂ）に示すように、ＲＧＢ値取得部３１ａ、測色値取得部３１ｂ、プロファイル作成部３１ｃ、対応付け部３１ｄ、プロファイル選択部３１ｅ、色変換部３１ｆなどとしても機能する。
【００３２】
ＲＧＢ値取得部３１ａは、スキャナプロファイル作成時においては、スキャナ５０（又は後述するプリンタ４０のインラインスキャナ４９ａ）から、カラーチャート（当該カラーチャート内でフレア影響度が一定の値となるようにパッチが並び替えられたカラーチャート）の各パッチのＲＧＢ値（以下、ＲＧＢ値１と称す。）を取得する。また、スキャナプロファイル使用時（スキャナプロファイルを用いた色変換時）においては、スキャナ５０（又はインラインスキャナ４９ａ）から、原稿の各対象色のＲＧＢ値（以下、ＲＧＢ値２と称す。）を取得する。
【００３３】
測色値取得部３１ｂは、スキャナプロファイル作成時においては、測色器６０（又は後述するプリンタ４０のインライン測色器４９ｂ）から、上記カラーチャートの各パッチの測色値（本実施例ではＬ*ａ*ｂ*値）を取得する。
【００３４】
プロファイル作成部３１ｃは、ＲＧＢ値取得部３１ａが取得したカラーチャートの各パッチのＲＧＢ値（ＲＧＢ値１）と測色値取得部３１ｂが取得したカラーチャートの各パッチの測色値（Ｌ*ａ*ｂ*値）とを対応付ける（ＲＧＢ値を測色値（Ｌ*ａ*ｂ*値）に変換する）スキャナプロファイルを作成する。本実施例では、各色のパッチの配置及び／又はサイズが異なる複数のカラーチャートを用いて、後述するフレア影響度が異なる複数のスキャナプロファイルを作成する。若しくは、同一のカラーチャートに対して、各パッチにおけるＲＧＢ値の取得位置及び／又は取得範囲が異なるＲＧＢ値を取得し、各々の取得位置及び／又は取得範囲のＲＧＢ値と測色値とを対応付けて、フレア影響度が異なる複数のスキャナプロファイルを作成する。
【００３５】
対応付け部３１ｄは、各々のスキャナプロファイルの作成に使用したカラーチャートの所定のパッチを含む周辺パッチ（所定のパッチを中心とした所定の範囲のパッチ、例えば、３×３のパッチ）のＲＧＢ値の平均値（例えば、ＲＧＢ値の加重平均、以下、ＲＧＢ平均値１と称す。）を算出し、所定のパッチのＲＧＢ値１とＲＧＢ平均値１とに基づいて（例えば、所定のパッチのＲＧＢ値１からＲＧＢ平均値１を減算して）、所定のパッチにおけるフレアの影響を表すフレア影響度（以下、フレア影響度１と称す。）を算出する。そして、算出したフレア影響度１をスキャナプロファイルに対応付けて記憶部３５などに登録する。なお、本実施例では、カラーチャート内でフレア影響度が一定の値となるようにパッチが並び替えられたカラーチャートを用いるため、所定のパッチはカラーチャート内のどのパッチでもよい。
【００３６】
プロファイル選択部３１ｅは、原稿の各対象色の所定の位置を含む周辺領域（取得位置を中心とした所定の範囲（好ましくは、上述した周辺パッチと同程度の範囲）の領域）のＲＧＢ値の平均値（例えば、ＲＧＢ値の加重平均、以下、ＲＧＢ平均値２と称す。）を算出し、所定の位置のＲＧＢ値２とＲＧＢ平均値２とに基づいて（例えば、所定の位置のＲＧＢ値２からＲＧＢ平均値２を減算して）、所定の位置におけるフレアの影響を表すフレア影響度（以下、第２フレア影響度と称す。）を算出する。なお、上記所定の位置は特に限定されないが、対象色のオブジェクトの中央近傍の位置とすることが好ましい。そして、複数のスキャナプロファイルに対応付けられた複数のフレア影響度１の中から、算出した第２フレア影響度との差が予め定めた閾値以下のフレア影響度１を特定し、特定したフレア影響度１に対応するスキャナプロファイルを、原稿の各対象色の色変換に使用するスキャナプロファイルとして選択する。その際、プロファイル選択部３１ｅは、第２フレア影響度との差が最小となるフレア影響度１を特定してもよい。また、プロファイル選択部３１ｅは、第２フレア影響度との差が閾値以下となるフレア影響度１がない場合は、フレア影響度１が異なる複数のスキャナプロファイルに対して補間計算を行って新たなスキャナプロファイルを作成し、作成したスキャナプロファイルを、原稿の各対象色の色変換に使用するスキャナプロファイルとして選択してもよい。
【００３７】
色変換部３１ｆは、プロファイル選択部３１ｅが選択したスキャナプロファイルを用いて、原稿の各対象色のＲＧＢ値２をＬ*ａ*ｂ*値に変換する。また、色変換部３１ｆは、必要に応じて、プリンタプロファイルを用いて、変換したＬ*ａ*ｂ*値をＣＭＹＫ値に変換する。そして、色変換部３１ｆは、Ｌ*ａ*ｂ*値又はＣＭＹＫ値をプリンタ４０（印刷処理部４９）に出力する。
【００３８】
上記ＲＧＢ値取得部３１ａ、測色値取得部３１ｂ、プロファイル作成部３１ｃ、対応付け部３１ｄ、プロファイル選択部３１ｅ、色変換部３１ｆは、ハードウェアとして構成してもよいし、制御部３１を、ＲＧＢ値取得部３１ａ、測色値取得部３１ｂ、プロファイル作成部３１ｃ、対応付け部３１ｄ、プロファイル選択部３１ｅ、色変換部３１ｆとして機能させる色変換プログラムとして構成し、当該色変換プログラムをＣＰＵ３２に実行させる構成としてもよい。
【００３９】
記憶部３５は、ＨＤＤ（Hard Disk Drive）やＳＳＤ（Solid State Drive）などで構成され、ＣＰＵ３２が各部を制御するためのプログラム、自装置の処理機能に関する情報、測色値取得部３１ｂが取得したＲＧＢ値、測色値取得部３１ｂが取得した測色値、プロファイル作成部３１ｃが作成した複数のスキャナプロファイル、対応付け部３１ｄが各々のスキャナプロファイルに対応付けたフレア影響度１などを記憶する。
【００４０】
ネットワークＩ／Ｆ部３６は、ＮＩＣ（Network Interface Card）やモデムなどで構成され、色変換装置３０を通信ネットワーク７０に接続し、出力指示端末２０やプリンタ４０、スキャナ５０、測色器６０とのデータ通信を可能にする。
【００４１】
表示部３７は、ＬＣＤ（Liquid Crystal Display）や有機ＥＬ（Electro Luminescence）ディスプレイなどであり、スキャナプロファイルの作成や原稿の色変換などに関する各種画面を表示する。
【００４２】
操作部３８は、マウス、キーボード、ハードスイッチなどであり、スキャナプロファイルの作成や原稿の色変換などに関する各種操作を可能にする。
【００４３】
［プリンタ］
プリンタ４０は、ＭＦＰ（Multi-Functional Peripherals）などの画像形成装置であり、スキャナプロファイル作成用のカラーチャートや、スキャナプロファイルを用いて色変換を行う原稿（例えば、人物や風景などの自然画像やパッチ配置を変更出来ないチャート画像）などを出力する。このプリンタ４０は、図６（ａ）に示すように、制御部４１、記憶部４５、ネットワークＩ／Ｆ部４６、表示操作部４７、画像処理部４８、印刷処理部４９などで構成される。
【００４４】
制御部４１は、ＣＰＵ４２とＲＯＭ４３やＲＡＭ４４などのメモリとで構成され、ＣＰＵ４２は、ＲＯＭ４３や記憶部４５に記憶した制御プログラムをＲＡＭ４４に展開して実行することにより、プリンタ４０全体の動作を制御する。プリンタ４０が色変換装置３０の機能を備える場合、上記制御部４１は、図６（ｂ）に示すように、プロファイル作成部４１ａ、対応付け部４１ｂ、プロファイル選択部４１ｃなどとしても機能する。なお、プロファイル作成部４１ａ、対応付け部４１ｂ、プロファイル選択部４１ｃの機能は、色変換装置３０のプロファイル作成部３１ｃ、対応付け部３１ｄ、プロファイル選択部３１ｅと同様であるため、説明を省略する。
【００４５】
記憶部４５は、ＨＤＤやＳＳＤなどで構成され、ＣＰＵ４２が各部を制御するためのプログラム、自装置の処理機能に関する情報、プリンタプロファイル、必要に応じて、後述するインラインスキャナ４９ａが取得したＲＧＢ値、インライン測色器４９ｂが取得した測色値、プロファイル作成部４１ａが作成した複数のスキャナプロファイル、対応付け部４１ｂが各々のスキャナプロファイルに対応付けたフレア影響度１などを記憶する。
【００４６】
ネットワークＩ／Ｆ部４６は、ＮＩＣやモデムなどで構成され、プリンタ４０を通信ネットワーク７０に接続し、色変換装置３０などとのデータ通信を可能にする。
【００４７】
表示操作部４７は、表示部上に透明電極が格子状に配置された感圧式の操作部（タッチセンサ）を設けたタッチパネルなどであり、印刷処理に関する各種画面を表示し、印刷処理に関する各種操作を可能にする。また、プリンタ４０が色変換装置３０の機能を備える場合は、表示操作部４７は、スキャナプロファイルの作成や原稿の色変換などに関する各種画面を表示し、スキャナプロファイルの作成や原稿の色変換などに関する各種操作を可能にする。
【００４８】
画像処理部４８は、予め作成したプリンタプロファイルを用いて、原稿のＬ*ａ*ｂ*値をＣＭＹＫ値に色変換する。そして、色変換後の画像に対して、画像処理（色調整、濃度調整、サイズ調整などの処理）やスクリーニングを行い、画像処理後の画像データを印刷処理部４９に転送する。なお、プリンタ４０が色変換装置３０の機能を備える場合は、画像処理部４８は、プロファイル選択部３１ｅが選択したスキャナプロファイルを用いて、原稿のＲＧＢ値をＬ*ａ*ｂ*値に色変換する。
【００４９】
印刷処理部（印刷エンジン）４９は、画像処理後の画像データに基づいて印刷処理を実行する。この印刷処理部４９は、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから用紙に２次転写し、更に定着装置で用紙上のトナー像を定着させる処理を行う。また、図５に示すように、プリンタ４０がスキャナ５０及び測色器６０の機能を備える場合、印刷処理部４９は、インラインスキャナ４９ａ及びインライン測色器４９ｂを含む。
【００５０】
インラインスキャナ４９ａは、例えば、ＲＧＢの３種類のセンサで構成され、ＲＧＢセンサで取得したＲＧＢ値を出力する。このインラインスキャナ４９ａは、プリンタ４０が色変換装置３０の機能を備える場合は、ＲＧＢ値取得部として機能する。
【００５１】
インライン測色器４９ｂは、例えば、外部測色器と同様に光の波長ごとに計測可能なスペクトル方式（分光光度計）の測色器であり、外部測色器と同様な精度で測色値（Ｌ*ａ*ｂ*値、ＸＹＺ値など）を出力する。このインライン測色器４９ｂは、プリンタ４０が色変換装置３０の機能を備える場合は、測色値取得部として機能する。
【００５２】
なお、図４乃至図６は、本実施例の色変換装置３０及びプリンタ４０の一例であり、その構成は適宜変更可能である。
【００５３】
例えば、色変換装置３０がスキャナプロファイルを作成する場合は、色変換装置３０は、プリンタ４０、スキャナ５０及び測色器６０（又はインラインスキャナ及びインライン測色器を備えるプリンタ４０）を制御するコントローラとして機能させることができ、色変換装置３０が予め作成されたスキャナプロファイルを利用する（すなわち、スキャナプロファイルの作成は行わない）場合は、色変換装置３０は、スキャナ５０（又はインラインスキャナを備えるプリンタ４０）を制御するコントローラとして機能させることができる。
【００５４】
以下、本実施例の色変換装置３０（又は、色変換装置３０の機能を備えるプリンタ４０）の動作について説明する。ＣＰＵ３２は、ＲＯＭ３３又は記憶部３５に記憶した色変換プログラムをＲＡＭ３４に展開して実行することにより、図７乃至図９のフローチャート図に示す各ステップの処理を実行する。
【００５５】
［スキャナプロファイル作成処理］
まず、スキャナプロファイルを作成する手順について、図７のフローチャート図を参照して説明する。なお、本実施例では、色変換装置３０がスキャナプロファイルを作成し、作成したスキャナプロファイルを用いて後述する色変換を行うが、予め作成されたスキャナプロファイルを取得し、取得したスキャナプロファイルを用いて後述する色変換を行ってもよい。
【００５６】
図７に示すように、色変換装置３０の制御部３１は、プリンタの色域全体の情報が取得できるようにパッチを配置したカラーチャートの画像データを生成してプリンタ４０に送信し、プリンタ４０にカラーチャートを出力させる（Ｓ１０１）。本実施例では、特許文献１の技術を利用して、パッチ周囲のＲＧＢ値が均等化されるように（すなわち、カラーチャート内でフレア影響度が一定の値となるように）パッチを並び替えたカラーチャートを出力させる。
【００５７】
次に、制御部３１（ＲＧＢ値取得部３１ａ）は、スキャナ５０（若しくはプリンタ４０のインラインスキャナ４９ａ）から上記カラーチャートの各パッチのＲＧＢ値（ＲＧＢ値１）を取得する（Ｓ１０２）。
【００５８】
次に、制御部３１（測色値取得部３１ｂ）は、測色器６０（若しくはプリンタ４０のインライン測色器４９ｂ）から上記カラーチャートの各パッチの測色値（Ｌ*ａ*ｂ*値）を取得する（Ｓ１０３）。
【００５９】
次に、制御部３１（プロファイル作成部３１ｃ）は、チャートの各パッチのＲＧＢ値１と測色値（Ｌ*ａ*ｂ*値）とを対応付ける色変換テーブル（スキャナプロファイル）を作成し、記憶部３５などに記憶する（Ｓ１０４）。
【００６０】
次に、制御部３１（対応付け部３１ｄ）は、所定のパッチを含む周辺パッチのＲＧＢ平均値１を算出し（Ｓ１０５）、所定のパッチのＲＧＢ値１と当該所定のパッチを含む周辺パッチのＲＧＢ平均値１に基づいてフレア影響度１を算出する（Ｓ１０６）。例えば、ＲＧＢ値１からＲＧＢ平均値１を減算してフレア影響度１を算出する。
【００６１】
次に、制御部３１（対応付け部３１ｄ）は、算出したフレア影響度１をＳ１０４で作成したスキャナプロファイルに対応付けて登録する（Ｓ１０７）。
【００６２】
そして、フレア影響度１が異なる複数のカラーチャートに対して、上記のＳ１０１〜Ｓ１０７の処理を繰り返し行う。例えば、各色のパッチの配置及び／又はサイズが異なる複数のカラーチャートを用いて、複数のスキャナプロファイルを作成し、各々のカラーチャートに対して算出したフレア影響度１を各々のスキャナプロファイルに対応付ける。若しくは、同一のカラーチャートに対して、各パッチにおけるＲＧＢ値の取得位置及び／又は取得範囲が異なるＲＧＢ値を取得し、各々の取得位置及び／又は取得範囲のＲＧＢ値と測色値とを対応付けて、複数のスキャナプロファイルを作成し、各々の取得位置及び／又は取得範囲で算出したフレア影響度１を各々のスキャナプロファイルに対応付ける。
【００６３】
［色変換処理］
次に、原稿のＲＧＢ値を測色値（Ｌ*ａ*ｂ*値）に変換する手順について、図８及び図９のフローチャート図を参照して説明する。
【００６４】
図８に示すように、制御部３１（ＲＧＢ値取得部３１ａ）は、スキャナ５０（若しくはプリンタ４０のインラインスキャナ４９ａ）から、原稿の各領域のＲＧＢ値（ＲＧＢ値２）を取得する（Ｓ２０１）。
【００６５】
次に、制御部３１（プロファイル選択部３１ｅ）は、原稿の各対象色の色変換に使用するスキャナプロファイルを選択する（Ｓ２０２）。
【００６６】
図９はこのステップの詳細を示しており、制御部３１（プロファイル選択部３１ｅ）は、対象色として任意のＣＭＹＫ値を選択する（Ｓ３０１）。
【００６７】
次に、制御部３１（プロファイル選択部３１ｅ）は、選択した対象色の所定の位置のＲＧＢ値２を取得する（Ｓ３０２）。
【００６８】
次に、制御部３１（プロファイル選択部３１ｅ）は、所定の位置を含む周辺領域（所定の位置中心とした所定の範囲の領域）のＲＧＢ平均値２を取得する（Ｓ３０３）。
【００６９】
次に、制御部３１（プロファイル選択部３１ｅ）は、所定の位置のＲＧＢ値２と所定の位置を含む周辺領域のＲＧＢ平均値２とに基づいて、フレア影響度２を算出する（Ｓ３０４）。例えば、ＲＧＢ値２からＲＧＢ平均値２を減算してフレア影響度２を算出する。
【００７０】
次に、制御部３１（プロファイル選択部３１ｅ）は、各スキャナプロファイルに対応付けて登録された複数のフレア影響度１と、上記ステップで算出したフレア影響度２とを比較し、フレア影響度２との差が予め定めた閾値以下のフレア影響度１を特定し（Ｓ３０５）、特定したフレア影響度１に対応するスキャナプロファイルを、対象色の色変換に使用するスキャナプロファイルとして選択する（Ｓ３０６）。
【００７１】
図８に戻って、制御部３１（色変換部３１ｆ）は、Ｓ２０２で選択したスキャナプロファイルを用いて、原稿の各領域のＲＧＢ値（ＲＧＢ値２）をＬ*ａ*ｂ*値に変換する（Ｓ２０３）。
【００７２】
次に、制御部３１（色変換部３１ｆ）は、必要に応じて、プリンタプロファイルを用いて、Ｓ２０３で変換したＬ*ａ*ｂ*値をＣＭＹＫ値に変換する（Ｓ２０４）。
【００７３】
次に、制御部３１（色変換部３１ｆ）は、Ｓ２０３で変換したＬ*ａ*ｂ*値、又は、Ｓ２０４で変換したＣＭＹＫ値をプリンタ４０に出力して印刷を指示する（Ｓ２０５）。
【００７４】
以下、本実施例の色変換方法について具体例を挙げて説明する。
【００７５】
図１０は、本実施例の色変換方法を説明する模式図である。星形、円形、三角形の３つのオブジェクト（オブジェクトの色の違いをハッチングの種類を変えて表現している。）を含む評価用自然画像において、星形のオブジェクト内の枠で囲んだ部分のＬ*ａ*ｂ*値を求める場合を考える。この部分のフレア影響度（ＲＧＢ値２とＲＧＢ平均値２とに基づいて算出したフレア影響度２）が（51,53,55）の場合、この部分と同等のフレア影響度を持つスキャナプロファイルを選択する。例えば、スキャナプロファイルＡのフレア影響度（ＲＧＢ値１とＲＧＢ平均値１とに基づいて算出したフレア影響度１）が（20,22,24）、スキャナプロファイルＢのフレア影響度１が（50,52,54）、スキャナプロファイルＣのフレア影響度１が（60,62,63）の場合、フレア影響度２に最も近いフレア影響度１のスキャナプロファイルＢを、上記オブジェクトの色を変換するために使用するスキャナプロファイルとして選択する。
【００７６】
なお、図１０では、原稿の上記部分と同等のフレア影響度を持つスキャナプロファイルが存在する場合について説明したが、同等のフレア影響度を持つスキャナプロファイルが存在しない場合もある。例えば、図１１に示すように、評価用自然画像の所定の部分のＲＧＢ値（ＲＧＢ値２）が（80,128,128）であり、この部分のＬ*ａ*ｂ*値を推定する場合を考える。この部分のフレア影響度２が（55,57,59）であり、スキャナプロファイルＡのフレア影響度１が（20,22,24）、スキャナプロファイルＢのフレア影響度１が（50,52,54）、スキャナプロファイルＣのフレア影響度１が（60,62,64）の場合、フレア影響度の差の閾値を（4,4,4）とすると、フレア影響度２との差が閾値以下のフレア影響度１のスキャナプロファイルは無い。
【００７７】
このような場合は、複数のスキャナプロファイルを用いて色変換を行うことができる。例えば、スキャナプロファイルＢではＲＧＢ値（80,128,128）に対応するＬ*ａ*ｂ*値は（60,0,-80）であり、スキャナプロファイルＣではＲＧＢ値（80,128,128）に対応するＬ*ａ*ｂ*値は（60,0,-70）であるため、これらのＬ*ａ*ｂ*値を用い、各々のスキャナプロファイルのフレア影響度１とフレア影響度２との差を考慮して計算した値（この場合はフレア影響度２との差が、プラスマイナスが逆で絶対値が同じであるため、平均値である（60,0,-75））をＲＧＢ値（80,128,128）に対応するＬ*ａ*ｂ*値として推定することができる。
【００７８】
すなわち、フレア影響度２との差が閾値以下となるフレア影響度１がない場合は、フレア影響度１が異なる複数のスキャナプロファイルに対して補間計算を行って新たなスキャナプロファイルを作成し、作成したスキャナプロファイルを、原稿の色変換に使用するスキャナプロファイルとして選択することができる。
【００７９】
なお、ここでは、一方のスキャナプロファイルのフレア影響度１＜原稿のフレア影響度２＜他方のスキャナプロファイルのフレア影響度１の関係の場合（特に、各々のスキャナプロファイルのフレア影響度１とフレア影響度２との差が、プラスマイナスが逆で絶対値が同じ場合）を例示したが、任意の２以上スキャナプロファイルを用いて、Ｌ*ａ*ｂ*値を推定することができる。
【００８０】
このように、複数のスキャナプロファイルの各々にフレア影響度１を対応付けておき、原稿の各対象色の所定の位置のフレア影響度２を算出し、フレア影響度２との差が予め定めた閾値以下のフレア影響度１を特定し、特定したフレア影響度１に対応するスキャナプロファイルを選択することにより、自然画像やパッチ配置を変更できないチャートなどの原稿に対しても、スキャナプロファイルを用いた色変換の精度を向上させることができる。
【００８１】
なお、本発明は上記実施例に限定されるものではなく、本発明の趣旨を逸脱しない限りにおいて、システムや各装置の構成や制御は適宜変更可能である。
【００８２】
例えば、上記実施例では、測色値としてCIE 1976色空間のＬ*ａ*ｂ*値を例示したが、CIE 1931色空間のＸＹＺ値としてもよいし、CIECAM02などの色の見えモデルなどとしてもよく、特に制限されない。
【００８３】
また、上記実施例では、色変換装置３０がスキャナプロファイルの作成及びスキャナプロファイルを用いた色変換を行う場合について記載したが、プリンタ４０がスキャナプロファイルの作成及びスキャナプロファイルを用いた色変換を行う場合においても、本発明の色変換方法を同様に適用することができる。
【産業上の利用可能性】
【００８４】
本発明は、フレアの影響を考慮して色変換を行う色変換装置、当該色変換装置を含むシステムにおける色変換方法、当該色変換装置を含むシステム内の装置で動作する色変換プログラム及び当該色変換プログラムを記録した記録媒体に利用可能である。
【符号の説明】
【００８５】
１０  印刷システム
２０  出力指示端末
３０  色変換装置
３１  制御部
３１ａ  ＲＧＢ値取得部
３１ｂ  測色値取得部
３１ｃ  プロファイル作成部
３１ｄ  対応付け部
３１ｅ  プロファイル選択部
３１ｆ  色変換部
３２  ＣＰＵ
３３  ＲＯＭ
３４  ＲＡＭ
３５  記憶部
３６  ネットワークＩ／Ｆ部
３７  表示部
３８  操作部
４０  プリンタ
４１  制御部
４１ａ  プロファイル作成部
４１ｂ  対応付け部
４１ｃ  プロファイル選択部
４２  ＣＰＵ
４３  ＲＯＭ
４４  ＲＡＭ
４５  記憶部
４６  ネットワークＩ／Ｆ部
４７  表示操作部
４８  画像処理部
４９  印刷処理部
４９ａ  インラインスキャナ
４９ｂ  インライン測色器
５０  スキャナ
６０  測色器
７０  通信ネットワーク
【図１】
2019110364.tif 000003
【図２】
2019110364.tif 000004
【図３】
2019110364.tif 000005
【図４】
2019110364.tif 000006
【図５】
2019110364.tif 000007
【図６】
2019110364.tif 000008
【図７】
2019110364.tif 000009
【図８】
2019110364.tif 000010
【図９】
2019110364.tif 000011
【図１０】
2019110364.tif 000012
【図１１】
2019110364.tif 000013
【図１２】
2019110364.tif 000014
【図１３】
2019110364.tif 000015